(57)【要約】      （修正有）【課題】台シートを切取線にて切り取って電気掃除機に装着しても電気掃除機側との位置決めができる電気掃除機用集塵フィルタを提供する。【解決手段】前面に集塵口１２を有する袋体４と、ホース導入孔２２を有しその袋体４の前面にこのホース導入孔２２が集塵口１２と整合するように接着された略矩形状の台シート２０からなる。一つの側辺とホース導入孔２２との間に複数本の切取線２６ａ、２６ｂが側辺と略平行に形成され、この側辺と反対側の側辺に位置決め用凹曲部を有する。複数本の切取線２６ａ、２６ｂそれぞれが直線部分と位置決め用の非直線部分２８からなる。非直線部分２８は凹曲した形状を有し、切取線２６ａ、２６ｂの両端部近傍に一つずつ設けられる。【選択図】図１
0003159740.tif 000002
【実用新案登録請求の範囲】
【請求項１】
前面に集塵口を有する袋体と、ホース導入孔を有しその袋体の前面にこのホース導入孔が上記集塵口と整合するように接着された略矩形状の台シートからなり、一つの側辺と上記ホース導入孔との間に複数本の切取線が上記側辺と略平行に形成され、この側辺と反対側の側辺に位置決め用凹曲部を有する電気掃除機用集塵フィルタにおいて、
上記複数本の切取線各々が直線部分と位置決め用の非直線部分からなる
ことを特徴とする電気掃除機用集塵フィルタ。
【請求項２】
直線部分と非直線部分からなる前記切取線の非直線部分が湾曲した形状を有し、その非直線部分がその切取線の両端部近傍に一つずつ設けられている
ことを特徴とする請求項１の電気掃除機用集塵フィルタ。
【考案の詳細な説明】
【技術分野】
【０００１】
本考案は、電気掃除機に着脱可能に取り付けられて吸い込まれた塵埃を集塵する使い捨ての電気掃除機用集塵フィルタに関する。
【背景技術】
【０００２】
電気掃除機の多くは、内部の吸い込んだエアーの通るエアー経路のエアー排出部の手前の部分に、使い捨て用のフィルタを着脱可能に取り付けて掃除をし、そのフィルタに掃除機中に上記エアー経路を通ったエアー中の塵が溜まるようにし、塵がそのフィルタを満たしたときこのフィルタを使い捨てて別の新しいフィルタと交換するようになっている（特開２００９−１７８１７２号公報）。
【０００３】
図２はそのような従来の電気掃除機用集塵フィルタの一例２ａを示す正面図である。
同図において、４はフィルタ２ａの本体を成す袋体で、不織布シートにより形成されており、矩形状の前面シート部６と、このシート部６の周面部に、塵埃を溜める空間が生じ得るように一体に接合された後面シート部（図２には現れない）とにより構成されている。
１２はその前面シート部６の略中央部に形成された円形の孔からなる集塵口であり、塵埃を含んだエアーが袋体４内へこの集塵口１２を通じて入る。
１４、１４、・・・は袋体４の集塵口１２の内周部近傍に放射状に形成された切り込みである。
【０００４】
２０は台シートで、例えば略矩形状の厚紙からなり、中央部から稍下側に寄った位置に円形のホース導入孔２２が穿設されている。このホース導入孔２２は電気掃除機の吸塵ホースを導き入れるためのものであり、その径は上記集塵口１２の径よりも適宜大きくされている。
その台シート２０は、上記前面シート部６の前面に、その集塵口１２の中心と自身のホース導入孔２２の中心とが整合するように接着されており、上記袋体４の切り込み１４、１４、・・・はホース導入孔２２から露出している。
【０００５】
２４、２４は上記台シート２０の下側の側縁の略半円状の位置決め用の凹曲部で、電気掃除機に電気掃除機用集塵フィルタ２ａが装着されるときに、電気掃除機の図示しない位置決め用部分に嵌合されて電気掃除機用集塵フィルタ２ａが電気掃除機に対して位置決めされるようにするためのものである。
２６ａ、２６ｂは台シート２０のホース導入孔２２よりも上の部分に横方向に互いに平行に延びるように形成された直線状の切取線であり、自身が切り取られて台シート２０が取り付けられる電気掃除機の機種の違いに対応した大きさになるようにするために設けられている。２６ａは内側の切取線であり、２６ｂは外側の切取線である。
【０００６】
３０は上記台シート２０の上記下側の側縁の中央部に形成された略台形状に形成された凹曲部であり、本電気掃除機用集塵フィルタ２ａが電気掃除機に装着されるときに電気掃除機側の一部分が嵌合されるものである。
【先行技術文献】
【特許文献】
【０００７】
【特許文献１】特開２００９−１７８１７２号公報
【考案の開示】
【考案が解決しようとする課題】
【０００８】
ところで、従来の電気掃除機用集塵フィルタによれば、上記複数の切取線２６ａ、２６ｂは総て直線状に形成されていた。
即ち、切取線２６ａ、２６ｂには上記位置決め用の略半円状の位置決め用の凹曲部２４、２４に対応する凹曲部が存在しなかった。
【０００９】
従って、切取線２６ｂ、２６ａのうちのいずれかの切取線にて切り取ってフィルタ２ａを電気掃除機に合わせる場合、その切取線２６ｂ、２６ａには、上記位置決め用の凹曲部２４、２４に相当する凹曲部が無いので、位置決め用の凹曲部２４、２４のある二箇所のみにおいてのみ位置決めすることができ、その凹曲部２４、２４のある側辺の反対側の側辺における位置決めはできず、より完全な位置決めができなかった。
【００１０】
本考案は、そのような問題を解決すべく為されたものであり、切り取られて台シートの大きさを取り付けられる電気掃除機の機種の違いに対応した大きさになるようにするために設けられる切取線を有する電気掃除機用集塵フィルタにおいて、台シートを切取線にて切り取って電気掃除機に装着しても台シートの複数の側辺にて電気掃除機側との位置決めができるようにすることを目的とする。
【課題を解決するための手段】
【００１１】
請求項１の電気掃除機用集塵フィルタは、前面に集塵口を有する袋体と、ホース導入孔を有しその袋体の前面にこのホース導入孔が上記集塵口と整合するように接着された略矩形状の台シートからなり、この台シートの一つの側辺と上記ホース導入孔との間に複数本の切取線が上記側辺と略平行に形成され、上記側辺と反対側の側辺に位置決め用凹曲部を有する電気掃除機用集塵フィルタにおいて、上記複数本の切取線それぞれぞれが直線部分と位置決め用の非直線部分からなることを特徴とする。
【００１２】
請求項２の電気掃除機用集塵フィルタは、請求項１の電気掃除機用集塵フィルタにおいて、直線部分と位置決め用の非直線部分からなる前記切取線の非直線部分が凹曲した形状を有し、その非直線部分がその切取線の両端部近傍に一つずつ設けられていることを特徴とする。
【考案の効果】
【００１３】
本考案の電気掃除機用集塵フィルタによれば、台シートの複数本の切取線各々に位置決め用の非直線部分を設けたので、フィルタ自身を電気掃除機に装着する際におけるフィルタ・電気掃除機間の位置決めを台シートの互いに反対側に位置する二つの側辺にて行うことができる。
特に、切取線の非直線部分を凹曲した形状にし、その非直線部分をその切取線の両端部近傍に一つずつ設けるようにした場合には、位置決め箇所を各切取線について二箇所ずつにすることができ、より位置決めを確実にすることができる。
【図面の簡単な説明】
【００１４】
【図１】（Ａ）、（Ｂ）は本考案の第１の実施例を示すもので、（Ａ）は正面図、（Ｂ）は（Ａ）のＢ−Ｂ線視断面図である。
【図２】従来例の正面図である。
【考案を実施するための形態】
【００１５】
本考案電気掃除機用集塵フィルタは、基本的に、前面に集塵口を有する袋体と、ホース導入孔を有しその袋体の前面にこのホース導入孔が上記集塵口と整合するように接着された略矩形状の台シートからなり、一つの側辺と上記ホース導入孔との間に複数本の切取線が上記側辺と略平行に形成され、上記側辺と反対側の側辺に位置決め用の凹曲部を有したた電気掃除機用集塵フィルタにおいて、上記複数本の切取線のうち少なくとも内側の切取線が直線部分と非直線部分からなるようにしたものであるが、切取線の非直線部分は湾曲した形状を有するようにすると良く、その非直線部分をその切取線の両端部近傍に一つずつ設けるようにするとよい。
【００１６】
袋体は、不織布で形成する場合が多いが、必ずしもそれに限定されず、入った塵等を外に漏らさず、エアーを確実に通過させることができる材料であれば他の材料を用いても良い。
台シートは例えば厚紙により形成しても良いが、必ずしも紙により形成することは不可欠ではなく、合成樹脂等他の材料で形成するようにしても良い。
【実施例１】
【００１７】
以下、本考案の詳細を図示実施例に基いて説明する。
図１（Ａ）、（Ｂ）は本考案電気掃除機用集塵フィルタの第１の実施例（：実施例１）２を示すもので、（Ａ）は正面図、（Ｂ）は（Ａ）のＢ−Ｂ線視断面図である。
同図において、４はフィルタ２の本体を成す袋体で、例えば不織布シートにより形成されており、矩形状の前面シート部６と、この前面シート部６の周面部に、塵埃を溜める空間が生じ得るように一体に接合された後面シート部８とにより構成されている。
具体的には、多数のフィルタ分の不織布シートを筒状に形成し、各フィルタ分毎にその筒状不織布を切断し、両端にできた開口を接合して閉塞し、例えば襠部のある袋体を形成すると良い。
【００１８】
１２はその前面シート部６の略中央部に形成された円形の孔からなる集塵口であり、塵埃を含んだエアーが袋体４内へこの集塵口１２を通じて入る。
１４、１４、・・・は袋体４の集塵口１２の内周部近傍に放射状に形成された切り込みである。この切り込み１４、１４、・・・には、様々な変形例があり得る。例えば、放射状の切り込みが集塵口１２に開口せず、その手前に切り込み内端が位置する態様もある。また、各隣接切り込み１４・１４間に切り込みより深さの浅い放射状の浅切り込み（不織布シートの厚みより浅い切り込み）を一本又は複数本設けるようにしても良い。
【００１９】
２０は台シートで、例えば略矩形状の厚紙からなり、中央部から稍下側に寄った位置に円形のホース導入孔２２が穿設されている。このホース導入孔２２は電気掃除機の吸塵ホースを導き入れるためのものであり、その径は上記集塵口１２の径よりも適宜大きくされている。
その台シート２０は、上記前面シート部６の前面に、その集塵口１２の中心と自身のホース導入孔２２の中心とが整合するように接着されており、上記袋体４の切り込み１４、１４、・・・はホース導入孔２２から露出している。
【００２０】
２４、２４は台シート２０のホース導入孔２２よりも図１における下側の側辺に設けられた位置決め用の凹曲部で、側辺の両端近傍に位置している。３０はその側辺の中央部に形成された略台形の凹曲部であり、電気掃除機用集塵フィルタ２が電気掃除機に装着されるときに電気掃除機側の位置決め用部分がこの凹曲部３０に嵌る。
尚、鎖線で示すように、凹曲部３０が存在しない場合もある。
【００２１】
台シート２０のホース導入口２２と図１における上側の側辺との間には、横方向に互いに平行に延びる複数の切取線２６ａ、２６ｂが形成されている。この切取線２６ａ、２６ｂは、自身が切り取られて台シート２０が取り付けられる電気掃除機の機種の違いに対応した大きさになるようにするために設けられたものであり、直線状の部分と位置決め用の非直線部分２８、２８、２８、２８からなる。
この位置決め用の非直線部分２８、２８、２８、２８は略半円状の凹曲した形状を有し、切取線２６ａ、２６ｂの両端近傍に設けられている。
【００２２】
尚、台シート２０の図１における上側の側辺にも位置決め用の凹曲部２９、２９を設けるようにしても良い。すると、台シートの切取線における切り取利をしない場合でも、台シート２０の図１における上側の側辺にての位置決めができるようにすることができるからである。
【００２３】
このような電気掃除機用集塵フィルタ２によれば、台シート２０の複数本の切取線２６ａ、２６ｂ各々に位置決め用の凹曲した非直線部分２８、２８、２８、２８を設けたので、フィルタ２自身を電気掃除機に装着する際におけるフィルタ２・電気掃除機間の位置決めを台シート２０の互いに反対側に位置する二つの側辺（上下の側辺）にて行うことができる。
特に、切取線２６ａ、２６ｂの非直線部分２８、２８、２８、２８を凹曲した形状にし、その非直線部分２８、２８、２８、２８をその切取線２６ａ、２６ｂの両端部近傍に一つずつ設けるようにしたので、位置決め箇所を各切取線について二箇所にすることができ、より位置決めを確実に行うことができる。
【産業上の利用可能性】
【００２４】
本考案は、電気掃除機に着脱可能に取り付けられて吸い込まれた塵埃を集塵する使い捨ての電気掃除機用集塵フィルタに広く産業上の利用可能性がある。
【符号の説明】
【００２５】
２・・・電気掃除機用集塵フィルタ、４・・・袋体、６・・・前面シート部、
１２・・・集塵口、２０・・・台シート、２２・・・ホース導入孔、
２４・・・位置決め用凹曲部、２６ａ、２６ｂ・・・切取線、
２８、２９・・・（凹曲した）非直線部。
【図１】
0003159740.tif 000003
【図２】
0003159740.tif 000004